Podtech/llm-jp-corpus-v4-ja_patent huggingface dataset:
(57)【要約】【課題】  スチル写真や静止画等の一瞬のチャンスを捉えた、静止映像を基にして、ズームやパーン等の映像効果を与え動画を作成する。そしてこの瞬間的なイメージ動画を基に、俯瞰的な映像（動画も可）も織り交ぜながら一本の作品に仕上げる。そして、その作風を「ムービングフォトアルバム」と位置づけるものである。【解決手段】  パーソナルコンピューターと映像編集ソフト及び映像加工ソフト、音声・音楽のミキシングソフト等を一連の編集作業で取り扱い、ナレーションやスーパー処理、音響効果等を加える事により、一つの作品として完成させる。【選択図】図１
2005322192.tif 000002
【特許請求の範囲】
【請求項１】
スチル写真や静止画像等、既に被写体が固定されて記録されている素材に対し、コンピューターと編集ソフトを用いて、あたかも止まった時間が動き出すような効果を与え、他に俯瞰の映像素材等（動画も可）を加えて編集を行う。
この編集の中で、ナレーションやスーパー文字、音響効果等を施し、一本の作品に仕上げる。ここで制作された作品の形式を「ムービングフォトアルバム」として定義し、特許として出願するものである。
【発明の詳細な説明】
【技術分野】
【０００１】  本発明は、多様化してきている動画映像表現の一つのカテゴリー（ジャンル）を定義づけるものである。
【背景技術】
【０００２】  動画映像の歴史は、映画が発明されてから数えても１１０年程のものであり、テレビジョンの歴史はせいぜいその半分にも満たない。【０００３】  映画の歴史から遡ること約７０年前に銀板写真が発明され、その頃の写真はセピア色に姿を変え、歴史の重みを現代に伝えている。【０００４】  コンピューターが今のように、高性能で低価格化するまでは、スチル写真や静止画等はビデオカメラ等を使用して再撮影し、動画として映像加工が行われてきた。【０００５】  様々な映像作品が生まれている中で、スチル写真（静止画）自体を動かし、動画を組み合わせて、一つの作品として成立させようとするカテゴリー（ジャンル）が現在のところ存在していない。
【発明の開示】
【発明が解決しようとする課題】
【０００６】  例えば、パソコン購入時にバンドルされている「スライドショウ」のように、無作為且つ無機質に、次から次へと写真を表示しても、作品性には乏しい。【０００７】  テレビジョン番組の制作のように、きちんとした制作目的と構成を背景に、スチル写真（静止画）等を基にして、編集された作品を「ムービングフォトアルバム」と名付け、映像表現の一つの形として定義付けを行いたい。
【課題を解決するための手段】
【０００８】  まず制作しようとする作品の構成を立て、使用する写真（静止画）などをスキャニングしてデジタルデータ化する。（デジタルカメラデータの場合は必要なし）【０００９】これをコンピューターの映像編集ソフトウェアー上でズームやパーン等の加工処理を施し動画化（ムービーに）する。【００１０】  そして、俯瞰映像や音楽、効果音やナレーション、スーパー文字等を加えて主張性のある一本の作品に仕上げる。【００１１】  あくまでも、写真（静止画）がメインであって、表現技法の一つとして各種効果、及び動画を付加するものとする。
【発明の効果】
【００１２】  この「ムービングフォトアルバム」という、ジャンルが定義される事により、商業的なニーズやマーケットが誕生する。【００１３】  現在では、パソコン本体の高性能化と低価格化により、多くの人の手にパソコンが行き渡るようになった。【００１４】  そのパソコンに、はじめからバンドルされているソフト等で、ほとんどの制作行程が一台のパソコン上で可能である為、特別な人だけの映像制作に留まらず、広く一般個人の楽しみとして制作するチャンスを与え、高度なセンスで作品を作る事が出来るようになれば、収入にもつながり、同時に文化的意味合いを持った、質の高い作品作りにも繋がる。
【発明の実施するための最良の形態】
【００１５】  以下、本発明の実施の形態を図１〜図２に基づいて説明する。
【００１６】  図１においては、本特許の基本的な構成図である。
【００１７】  ４は、編集ソフト等がプリインストールされているパソコンである。
【００１８】  このパソコンに、１のスキャナーを用いて、写真等をデジタルデータ化して、４に取り込む。
【００１９】  ２は、デジタルカメラで、直接４に接続して取り込める。
【００２０】  ３は、アナログビデオやＤＶビデオ等である。
【００２１】  これらは、キャプチャーという方法を使って、４に取り込む。
【００２２】  そして、取り込まれた素材は、編集ソフトによって、図２のようなキューシートに基づいて、作品化され５などのＤＶＤビデオとなって完結する。
【００２３】  図２は、キューシートと呼ばれ、番組制作の設計図のようなものである。
【００２４】  ６をショータイムと呼び、ここから作品が始まり、７の時間軸にそって映像作品が進行してゆく。
【００２５】  ８と９は、映像トラックでいろいろな効果をかける上で、通常２トラック以上使用し、８から９へ、９から８へと言うような使い方をする。
【００２６】  １０は、通常はＢＧＭと呼ばれるもので、映像にあった音楽が選曲され、背景音楽として、作品に色を添える。
【００２７】  １１も音声トラックだが、ＳＥ（効果音）等を足す場合に使用する。
【００２８】  １２番は、スーパートラックで、あらかじめ作成しておいた文字をスーパーインポーズする為のトラックである。
【００２９】  これらのトラックには、１３〜１７までのように、素材が貼付けられ、最終的にすべてのバランスを取り直して、作品が完成する。
【図面の簡単な説明】
【００３０】
【図１】  システム構成図
【図２】  作品構成キューシート
【符号の説明】
【００３１】    １    スキャナー
２    デジタルカメラ
３    ＤＶやＶＨＳ等のテープ磁性体機器
４    パソコン（編集ソフトを内蔵したもの）
５    ＤＶＤやＣＤ−Ｒなどの記録メディア
６    ショウタイム（作品のスタートライン）
７    時間軸（右方向へ）
８    ビデオトラック−１
９    ビデオとラック−２
１０    音声トラック−１
１１    音声トラック−２
１２    スーパートラック
１３ａ  スチル写真（静止両）から制作したムービー
１３ｂ  スチル写真（静止画）から制作したムービー
１３ｃ  スチル写真（静止画）から制作したムービー
１４ａ  タイトルバック用静止画素材
１４ｂ  ブリッジ（場面転換）用、フィラー（俯瞰）動画
１４ｃ  ブリッジ（場面転換）用、フィラー（俯瞰）動画
１４ｄ  エンディング用、フィラー（俯瞰）動画
１５ａ  第一シークエンス用、ＢＧＭ（背景音楽）
１５ｂ  第二シークエンス用、ＢＧＭ（背景音楽）
１５ｃ  第三シークエンス用、ＢＧＭ（背景音楽）
１５ｄ  第四シークエンス用、ＢＧＭ（背景音楽）
１６ａ  効果音やナレーション等の音響効果
１６ｂ  効果音やナレーション等の音響効果
１６ｃ  効果音やナレーション等の音響効果
１６ｄ  効果音やナレーション等の音響効果
１７ａ  オープニングスーパー
１７ｂ  シークエンス用スーパー
１７ｃ  シークエンス用スーパー
１７ｄ  エンディング用スーパー
【図１】
2005322192.tif 000003
【図２】
2005322192.tif 000004
(57)【要約】      （修正有）【課題】ＰＣのキーボードを、キータイプ式入力型から、ペン書き式入力型にし、より快適に入力作業をできるようにする。【解決手段】ＰＣのキーボードを、ペン書き式入力型にする場合、ＰＣのすべての機能を使用できるようにするため、マウスの機能とあわせて使い、また、ペン書き式では対応できないような、エスケープ、ファンクション、スクロール、Ｃｔｒｌ，Ａｌｔ，Ｄｅｌｅｔｅなどの一部のキーは、タッチパネルに表示する形で備え、残りの入力作業を、ペン書き式入力型のキーボードで行う。【選択図】図１
2005322195.tif 000002
【特許請求の範囲】
【請求項１】
タブレットＰＣで採用されているペン書き式入力を、普通のＰＣで実現する、ペン書き式入力型キーボード。また、ペン書き式では対応できないような、エスケープ、ファンクション、Ｃｔｒｌ，Ａｌｔ，Ｄｅｌｅｔｅ，スクロール、などの一部のキーを、キーボードの一部にタッチパネルを設けて表示する。
【発明の詳細な説明】
【技術分野】
【０００１】ＰＣのキーボードを、キータイプ式から、ペン書き式にしたもの。
［背景技術］【０００２】従来のＰＣのキーボードは、キータイプ式によるものだった。
［発明の開示］
［発明が解決しようとする課題］【０００３】従来のＰＣの入力方法である、キータイプ式入力型のキーボードを、ペン書き式入力型にすることにより、より快適に入力作業ができるようになる。
［課題を解決するための手段］【０００４】ＰＣの機能をすべて使用できるようにするために、キーボードをペン書き式入力型とする場合には、マウスの機能とあわせて使うようにし、またペン書き式では対応できないような、エスケープ、ファンクション、Ｃｔｒｌ，Ａｌｔ，Ｄｅｌｅｔｅ、スクロール、などの一部のキーは、タッチパネルに表示する形で備えるようにする。
［発明の効果］【０００５】ＰＣのキーボードを、キータイプ式入力型から、ペン書き式入力型にすることにより、より快適に入力作業ができるようになる。
［発明を実施するための最良の形態］【０００６】ＰＣのキーボードを、ペン書き式入力型とする場合、マウスの機能とあわせて使い、ペン書き式では対応できないような、エスケープ、ファンクション、スクロール、Ｃｔｒｌ，Ａｌｔ，Ｄｅｌｅｔｅ，などの一部のキーは、タッチパネルに表示し、残りの入力作業は、ペン書き式入力型キーボードで行う。
【図面の簡単な説明】符号１は、本体、符号２はディスプレイ、符号３は、ペン書き式入力型キーボード、符号４は、マウス、符号５は、電気ペン。
【符号の説明】
図面の簡単な説明を、参照。
【図１】
2005322195.tif 000003
【手続補正書】
【提出日】平成16年7月22日(2004.7.22)
【手続補正２】
【補正対象書類名】明細書
【補正対象項目名】全文
【補正方法】変更
【補正の内容】
【発明の詳細な説明】
【技術分野】
【０００１】ＰＣのキーボードを  ロールアップ式から、ペン書き式にしたもの。［背景技術］【０００２】従来のＰＣのキーボードは、ロールアップ式だった。［発明の開示］［発明が解決しようとする課題］【０００３】従来のＰＣのキーボードを、ロールアップ式から、ペン書き式にすることにより、より快適に入力ができるようになる。［課題を解決するための手段］【０００４】キーボードにフラットパネルを採用し、ペン書き入力を可能とするとともに、ペン書き式では対応できない、ＰＣの起動時に使う、ファンクションキーや、ＰＣの終了時に使う、Ｃｔｒｌ，Ａｌｔ，Ｄｅｌｅｔｅのキーは、残しておく。［発明の効果］【０００５】ＰＣのキーボードをロールアップ式からペン書き式にすることにより、より快適に入力作業ができるようになる。［発明を実施するための最良の形態］【０００６】ＰＣのキーボードにフラットパネルを採用し、入力方法をペン書き式にするとともに、ペン書き式では対応できないような、ＰＣの起動時に使うファンクションキーや、ＰＣの終了時に使う、Ｃｔｒｌ，Ａｌｔ，Ｄｅｌｅｔｅのキーは残しておく。
【図面の簡単な説明】
【０００７】
【図１】はフラットパネルを採用した、ペン書き式キーボード。ファンクションキー、Ｃｔｒｌ，Ａｌｔ，Ｄｅｌｅｔｅきーは上部に残しておき、スタイラスペンで入力する。
【符号の説明】
【０００８】符号１は本体、符号２はディスプレイ、符号３はペン書き式入力型キーボード、符号４はマウス、符号５はスタイラスペン
(57)【要約】【課題】  高層建築物の美観を損なうことなく側壁への雷害を防止すること。【解決手段】  先端領域に火花放電が可能な放電部を有し、底部領域に建築物の壁に固定可能な基部４を備えた導雷針１と、放電部に火花放電可能な電圧を供給する高電圧発生手段（１０、１３）とを備える【選択図】  図１
2005322518.tif 000002
【特許請求の範囲】
【請求項１】
先端領域に火花放電が可能な放電部を有し、底部領域に建築物の壁に固定可能な基部を備えた導雷針と、前記放電部に火花放電可能な電圧を供給する高電圧発生手段と、からなる導雷針装置。
【請求項２】
前記基部が前記壁と導電関係を形成するように構成されている請求項１の導雷針装置。
【請求項３】
前記高電圧発生手段が、襲雷により電界強度が上昇した時点で前記放電部に高電圧を供給するように構成されている請求項１に記載の導雷針装置。
【発明の詳細な説明】
【技術分野】
【０００１】
本発明は、落雷による高層建築物の被害を防止するための装置に関する。
【背景技術】
【０００２】
周囲に発生した雷が不用意な位置に落雷するのを防止するために、たとえば特許文献１に見られるような導雷針が用いられる。
この導雷針は、襲雷時における周囲の電界強度の上昇を積極的に利用して導雷針の先端に放電を生じさせて導雷針に至る放電路を形成するように構成されている。
しかしながら、この導雷針は、周囲の電界強度の高まりを利用して放電を生じさせる関係上、電界を確実に利用するため建築物の頂部に設置する必要がある。
【特許文献１】特開平7−142188号公報
【発明の開示】
【発明が解決しようとする課題】
【０００３】
一方、高層建築物はその高さが大きくなり、従来の導雷針では建築物の側壁への落雷を防止することができず、また効果を高めようとするとサイズが大きくなり美観を損なうばかりでなく大掛かりな工事が必要になるといった問題がある。
本発明はこのような事情に鑑みてなされたものであって、その目的とするところは、高層ビルなどの美観を損なうことなく、かつ容易に側壁に接地できて側壁への落雷を防止することができる導雷針装置を提供することである。
【課題を解決するための手段】
【０００４】
このような課題を達成するために本発明においては、先端領域に火花放電が可能な放電部を有し、底部領域に建築物の壁に固定可能な基部を備えた導雷針と、前記放電部に火花放電可能な電圧を供給する高電圧発生手段とを備えるようにした。
【発明の効果】
【０００５】
本発明によれば、外界からの電荷を必要としないため、小型化が可能で高層建築の外観を損なうことなく側撃雷の被害を確実に防止することができる。
【発明を実施するための最良の形態】
【０００６】
そこで以下に本発明の詳細を図示した実施例に基づいて説明する。
図１は、本発明の一実施例を示すものであって、導雷針装置を構成する導雷針本体１は、導電性材料からなる筒状の外郭体２と、外郭体２の中心線上に位置し、かつ先端３ａが数キロボルトの電圧で容易に火花放電させることができるように先鋭加工された導電性材料からなる芯体３とを同軸状となるように基部側領域で絶縁体１ａにより固定して構成されている。
【０００７】
また導雷針本体１の底部には高層建築の側壁に容易に固定でき、かつ確実に接地できるように導電性材料からなる基部４を、外郭体２に導電関係を形成するように設けられている。
【０００８】
これら導雷針本体１と芯体３には火花放電を生じる程度の放電維持電圧、例えば５キロボルトを印加するように高圧絶縁トランス１０の二次巻線１０ａに接続され、また二次巻線１０ａには放電維持電圧よりも若干高圧、たとえば６キロボルト程度の定格を有するアレスタ１１が並列に接続されている。
【０００９】
一方、高圧絶縁トランス１０の一次巻線１０ｂには、襲雷検出手段１２により設置領域の電界強度が所定の値を超えたことが検出された場合に、交流電力を供給する電源装置１３が接続されている。この電源装置１３は、好ましくは常時は商用電源１４の電力を外部に供給し、また停電時には内蔵のバッテリーにより電力を供給できる形式のものが望ましい。なお、図中符号１４は、襲雷検出手段１２に接続された電界検出用探針を示す。
【００１０】
このように構成された装置において、図２に示したように複数の導雷針本体１を高層建築物Ｂの側壁に分布するように配置するとともに、建築物の接地されている床材に接続する。
【００１１】
この状態で雷発生により周囲の電界が上昇すると、襲雷検出器手段１２から信号が発生して電源装置１３から高圧絶縁トランス１０の一次巻線に電力が供給され、導雷針本体１の先端１ｂに火花放電が生じて周囲の大気をイオン化させる。
【００１２】
この状態で、導雷針本体１の近傍の電界強度が雷により上昇すると、大気中のイオンが引き金となって導雷針本体１の先端１ｂの近傍に電子雪崩が発生して導雷針本体１と周囲空間との間に放電路が形成され、導雷針本体１の先端１ａが受雷部または導雷部として機能し、導雷針１との間で放電が生じて電荷がアースに放電される。これにより、高層建築物の側壁への直接的、かつ不用意な落雷が防止され、側壁の破損ばかりでなく、室内に設置されている電子機器の被害を回避することができる。
【００１３】
なお、導雷針１に落雷して絶縁トランス１０の二次巻線１０ａに高圧が発生したとしても、アレスタ１１を介して接地線に放電されるため、電源ラインに高電圧が侵入するといった事態にはならない。
【００１４】
また、導雷針１は、建築物の高層領域の側壁に分布して配置されるため、建物の頂部に配置する従来のものに比較して長さが０．５乃至１ｍ、また直径は数センチ程度の小型のもので十分な効果が期待できるため、建築物の景観を損なうことにはならない。
【００１５】
なお、上述の実施例においては電磁型トランスを使用する場合について説明したが、圧電トランスを使用しても同様の作用を奏することは明らかである。
【００１６】
また、上述の実施例においては、各導雷針１に独立に電源装置や襲雷検出器手段を設けているが、複数本の導雷針をグループとして共通接続するようにしても同様の作用を奏することは明らかである。
【図面の簡単な説明】
【００１７】
【図１】本発明の導雷針装置の一実施例を示す図である。
【図２】図(イ)、(ロ)は、それぞれ本発明の導雷針装置の導雷針の設置例を模式的に示す図である。
【符号の説明】
【００１８】
１  導雷針本体
２  筒状の外郭体
３  芯体
４  基部
１０  圧絶縁トランス
１１  アレスタ
【図１】
2005322518.tif 000003
【図２】
2005322518.tif 000004
(57)【要約】【課題】各種電気機器に使用される従来の下ヒンジ構成の操作釦装置においては、操作性と省スペ−スを両立させることが困難であるという問題点を有していた。本発明は上記従来の問題点を解決するもので、操作性と省スペ−スを両立させる操作釦装置を提供することを目的とする。【解決手段】本発明の下ヒンジ構成の操作釦装置では、薄肉ヒンジ部２ｂを回転中心とする回転移動と変形可能な薄肉ア−ム部２ｄの組み合わせによって、釦操作時の指の移動方向６に追従しながら、スイッチ４を押し圧することが可能になる。これにより、薄肉ヒンジ部２ｂを回転中心とする回転移動だけの下ヒンジ構成では操作感が悪く、この操作感を改善するには、薄肉ヒンジ部２ｂの回転中心を押し圧部２ａから遠い位置に設定しなければならないため、省スペ−ス構成ができない。という従来の下ヒンジ構成の問題点を解決出来る。【選択図】図３
2005322457.tif 000002
【特許請求の範囲】
【請求項１】
薄肉ヒンジ部を回転中心とする回転移動と変形可能な薄肉ア−ム部の組み合わせによって多方向に移動可能な下ヒンジ構成を特徴とする操作釦装置。
【発明の詳細な説明】
【技術分野】
【０００１】
本発明は、下ヒンジ構成の操作釦装置に関するものである。
【背景技術】
【０００２】
図４及び図５は従来の押し釦装置の構成図を示すものである。図４及び図５において、１は前面パネルである。２は操作釦本体、３はプリント基板、４はプリント基板に装着されたスイッチ、５は釦操作時の操作釦本体の押し圧部２ａの移動方向であり、６は釦操作時の指の移動方向を示す。
【０００３】
以上のように構成された従来の押し釦装置について、以下その動作について説明する。まず、操作釦本体の押し圧部２ａに押し圧すると、押し圧部２ａは操作釦本体２に有する薄肉ヒンジ部２ｂを回転中心とし、操作釦本体２に有するスイッチ押し圧用リブ２ｃと共に回転移動を行い、スイッチを押し圧する。図６はスイッチ押し圧時の状態を示す図である。
【０００４】
上記の従来の構成では、操作釦本体の押し圧部２ａを押し圧しスイッチをＯＮ／ＯＦＦさせる時、薄肉ヒンジ部２ｂを回転中心とし、押し圧部２ａ及びスイッチ押し圧用リブ２ｃは５の回転移動をするが、指の移動方向６と異なるため操作感が悪く感じる。操作感を改善するには、薄肉ヒンジ部２ｂの回転中心を押し圧部２ａから遠い位置に設定した押し圧部２ａの移動方向５ａに示す様に５の方向を６の方向に近づける必要があるが操作釦を構成するスペ−スを増加させなければならない。
【０００５】
なお、関連する先行技術としては以下のものがある（例えば、特許文献１参照。）。
【特許文献１】特開平９−１９８９５１号公報
【発明の開示】
【発明が解決しようとする課題】
【０００６】
解決しようとする問題点は、従来の下ヒンジ構成の操作釦装置では、操作性と省スペ−スを両立させることができない点である。
【課題を解決するための手段】
【０００７】
本発明は、薄肉ヒンジ部を回転中心とする回転移動と変形可能な薄肉ア−ム部の組み合わせによって多方向に移動可能な下ヒンジ構成を特徴としている。
【発明の効果】
【０００８】
本発明の操作釦装置は、パネル開口部の真下に釦が配置されるなど、操作釦構成の省スペ−ス化が求められる下ヒンジ操作釦で操作性と省スペ−スを両立させるという利点がある。
【発明を実施するための最良の形態】
【０００９】
下ヒンジ操作釦で操作性と省スペ−スを両立させるという目的を、薄肉ヒンジ部を回転中心とする回転移動と変形可能な薄肉ア−ム部を組み合わせることによって多方向に移動可能な下ヒンジ操作釦構成を実現した。
【００１０】
（実施の形態）
図１及び図２は本発明の実施の形態における操作釦装置の構成を示す図であり、同図において従来と同一の構成要素には同一番号を付与し説明を省略する。
【００１１】
図１及び図２において、２は操作釦本体であり、操作釦本体の押し圧部２ａを押し圧すると、押し圧部２ａが上下に移動可能になるように、操作釦本体に変形可能な薄肉ア−ム部２ｄを備えている。
【００１２】
以上のように構成された本発明の操作釦装置について、以下その動作について説明する。まず、操作釦本体２の押し圧部２ａを押し圧すると、押し圧部２ａは操作釦本体２に有する薄肉ヒンジ部２ｂを回転中心とし、操作釦本体に有するスイッチ押し圧用リブ２ｃと共に回転移動と変形可能な薄肉ア−ム部２ｄの組み合わせによって、釦操作時の指の移動方向６に追従しながら、スイッチを押し圧するため、操作性と省スペ−スを両立させるという効果がある。図３はスイッチ押し圧時の状態を示す図である。
【００１３】
なお、回転移動の回転中心となる薄肉ヒンジ部２ｂと、変形可能な薄肉ア−ム部２ｄの組み合わせは本実施例に限定されるものではない。
【産業上の利用可能性】
【００１４】
本発明で構成される釦は、操作性と省スペ−スを両立しているため、上下スペ−スが無く、釦レイアウトが困難なデザインにも適用できる。
【図面の簡単な説明】
【００１５】
【図１】本発明の実施の形態における操作釦装置の正面図
【図２】本発明の実施の形態における操作釦装置の断面図
【図３】同実施の形態における操作釦装置の動作説明のための断面図
【図４】従来の操作釦装置の正面図
【図５】従来の操作釦装置の断面図
【図６】従来の操作釦装置の動作説明のための断面図
【符号の説明】
【００１６】
１    前面パネル
２    操作釦本体
２ａ    押し圧部
２ｂ    薄肉ヒンジ部
２ｃ    スイッチ押し圧用リブ
２ｄ    薄肉ア−ム部
３    プリント基板
４    スイッチ
５    釦操作時の押し圧部の移動方向
５ａ    釦操作時の押し圧部の移動方向（薄肉ヒンジ部を押し圧部から遠い位置に設定した場合）
６    釦操作時の指の移動方向
【図１】
2005322457.tif 000003
【図２】
2005322457.tif 000004
【図３】
2005322457.tif 000005
【図４】
2005322457.tif 000006
【図５】
2005322457.tif 000007
【図６】
2005322457.tif 000008
(57)【要約】      （修正有）【課題】より正確にしかもメモをとる必要がない電話番号案内サービスを提供する。【解決手段】ユーザが携帯電話機等から電話番号案内サービスセンタにＥメール又は電話で電話番号案内を依頼する。該電話番号案内サービスセンタからＥメールで住所、氏名、電話番号等をユーザの携帯電話機等に通知し、表示器に文字情報にて表示する。【選択図】図１
2005322983.tif 000002
【特許請求の範囲】
【請求項１】
ユーザーがＥメールで連絡出来る機能の付いた電話機で電話番号案内サービスセンターに電話又は、Ｅメールでアクセスして上記電話番号案内のサービスセンターの係の人又は、コンピュータに調べて欲しい電話番号の住所、氏名、又は屋号とＥメールアドレスを伝えて上記電話の場合は切って待っていると、数秒後上記電話番号案内のサービスセンターのコンピュータ又は、係の人が電話番号を調べてユーザーからアクセスして来た電話番号又はＥメールアドレスにＥメールで連絡して正確な住所、氏名、電話番号、ＦＡＸ番号が上記ユーザーの電話機にビジュアルで入る電話番号案内メールシステム。
【発明の詳細な説明】
【技術分野】
【０００１】
本発明は、電話番号案内のサービスに関するものである。
【背景技術】
【０００２】
電話回線で口頭で電話会社のオペレーターと話し音声で案内を聞いていた。
【０００３】
しかしながら、回りがうるさかったり、集中力がない時など折角聞いても聞き取りにくいという問題点があったしメモするのも手間がかかった。
【発明の開示】
【発明が解決しようとする課題】
【０００４】
本発明は、このような従来の問題点を解決しようとするものであり、音声でつたえるものをビジュアルで伝えるという形に変えたものである。
【課題を解決するための手段】
【０００５】
本発明は、電話番号案内の音声での案内をＥメールを使ってビジュアル表示に変えたことである。
【発明の効果】
【０００６】
本発明の電話番号案内Ｅメールシステムによれば、案内の音声を耳を凝らして集中して聞いて覚えたり、メモをする必要がないしケイタイ等のメモリー機能の付いた機器であれば、メモリー機能を使って記憶させておく事が出来るという効果がある。
【０００７】
上述したように本発明は、耳の聞こえないお年寄りや、忙しくてメモ出来ない人などに便利である。
【発明を実施するための最良の形態】
【０００８】
以下、本発明の実施の形態を図に基づいて説明する。
【実施例】
【０００９】
図１の１のユーザーが２のケイタイ等で３の電話番号の案内サービスセンターにＥメール又は、電話回線で連絡して電話番号案内を頼むと数秒後２のケイタイ等に、住所、氏名、屋号、電話番号が図２−５のように表示される。
【図面の簡単な説明】
【００１０】
【図１】システムの大まかな説明のための図である。
【図２】Ｅメールで送られて来た電話番号等の表示の例
【符号の説明】
【００１１】
１      ユーザー
２      Ｅメール連絡の出来る電話機
３      電話番号案内のサービスセンター
４      ケイタイ等のビジュアルディスプレイ表示の例
５      テレビ電話等の表示の例
【図１】
2005322983.tif 000003
【図２】
2005322983.tif 000004
(57)【要約】【課題】  容積の割合に比較して大静電容量のコンデンサを提供する。【解決手段】  ２つの分極性電極２０、２１間にセパレータとして２０ミクロン以下のシリコンフィルム又はフッ素樹脂フィルム８を介在せしめ、これらを電解液に浸漬せしめて周囲をアルミフィルム２で包摂し、集電箔４、５にはナノオーダーの活性炭６と内部抵抗を減少させるための銀、ビスマス等の導電性粒子７とを混合せしめたものを付着せしめる。【選択図】  図１
2005322734.tif 000002
【特許請求の範囲】
【請求項１】
両分極性電極の中間にセパレータとしての絶縁材料を分在させ、これら分極性電極と絶縁材料とを積層せしめて電解液に浸すようにした電気二重層コンデンサにおいて、前記分極性電極は賦活竹炭からなる活性炭を備え、前記絶縁材料をシリコンフィルム又はフッ素樹脂フィルムとしたことを特徴とする電気二重層コンデンサ。
【請求項２】
前記電極はアルミ箔に前記活性炭及び電気伝導度の高い金属粒子の混合体を付着せしめたことを特徴とする請求項１記載の電気二重層コンデンサ。
【請求項３】
前記シリコンフィルム又はフッ素樹脂フィルムは厚さが２０μ以下であることを特徴とする請求項１又は２記載の電気二重層コンデンサ。
【請求項４】
前記活性炭は、１０ナノメートル以下であることを特徴とする請求項１乃至３のいずれかに記載の電気二重層コンデンサ。
【発明の詳細な説明】
【技術分野】
【０００１】
本発明は、大容量の電気二重層コンデンサに関する。
【背景技術】
【０００２】
一般に、電気二重層コンデンサはアルミのプラス電極とマイナス電極の中間にセパレータを設け、これらを電解液に浸して両電極と電解セパレータ間に電気二重層を形成したものであるが、一般にはコイル状に形成したものを円柱容器に収納するようにしている。近年、技術の発展に伴い電気二重層コンデンサは充電時間が短く、しかも公害の原因となるＰｂ等の重金属を使用しないので、従来の電池に代わるものとして機能することが期待されている。そのため、矩形状のアルミ電線に活性炭を付着せしめ、紙等のセパレータを量電極間に介在せしめたものが出現している。
【特許文献１】特開２０００−２６９０９４
【発明の開示】
【発明が解決しようとする課題】
【０００３】
しかしながら、かかる電気二重層コンデンサにおいては、静電容量を増すために両電極の活性炭層を厚くすれば、内部抵抗が増し出力をそれに伴って増すことができないし、従来の紙等のセパレータは厚さが大きいので大容量とするためには、コンデンサ全体が大型化してしまうという問題があった。
【課題を解決するための手段】
【０００４】
そこで、本発明は、両分極性電極の中間にセパレータとしての絶縁材料を分在させ、これら分極性電極と絶縁材料とを積層せしめて電解液に浸すようにした電気二重層コンデンサにおいて、前記分極性電極は賦活竹炭からなる活性炭を備え、前記絶縁材料をシリコンフィルム又はフッ素樹脂フィルムとした。前記電極はアルミ箔に前記活性炭及び電気伝導度の高い金属粒子の混合体を付着せしめたものが好ましい。更に、前記シリコンフィルム又はフッ素樹脂フィルムは厚さが２０μ以下であることが好ましく、前記活性炭は１０ナノメートル以下であることが好ましい。
【発明の効果】
【０００５】
本発明の電気二重層コンデンサにおいては、容積が小さいのにも拘らず内部抵抗が少ない大静電容量が得られる。
【発明を実施するための最良の形態】
【０００６】
以下、図面を参照して本発明の最良の実施形態について説明する。
【０００７】
図１において、本発明の電気二重層コンデンサ１は、多数のキャパシタセルＣ、Ｃ…Ｃが例えばケーシングとしてのアルミフィルム２に包摂されて形成される。なお、アルミフィルム２の内面には、絶縁膜３としてのポリエチレン又はポリエチレンテレフタレート等が付着されている。前記コンデンサキャパシタセルＣは、図２、図３に示すように、例えば、厚さ０．３ｍｍ以下のプラスとマイナスの集電箔５に活性炭６が付着され、集電箔５と活性炭６とが分極性電極２０、２１が形成され、内部抵抗が大きい場合にはそれを減少させるための細粒の銀、ビスマス等の導電性粒子の７、７が少量（数％）加えられる。
【０００８】
前記活性炭６は竹炭を賦活して生成したものが好適であり、このものは非常に多孔であり、しかも電解液が浸入できる径を有している。この活性炭はその径が１０ナノメートル以下のものが好ましく、特に３〜５ナノメートルが最適である。ナノカーボンチューブを使用すればより電荷を貯える表面積が増大する。前記導電性粒子７は活性炭間に均一に分散していることが好ましく、その粒子は細かいことが望ましいが、活性炭よりも径が大きくてもよい。導電性粒子は活性炭に対して数％が好ましいが、この程度の混合割合でコンデンサの放電時の内部抵抗が著しく減少して大電流の短時間での効率よい放電が可能となる。
【０００９】
前記両集電箔４、５間に設けられたセパレータ８、８…８は、絶縁材料からなり、例えば、絶縁紙であってもよいが、薄い絶縁材料としては、２０ミクロン以下のシリコンフィルム又はフッ素樹脂フィルムであってもよい。現在、フッ素樹脂フィルムは３ミクロン程度のものも製造されているが、ハンドリングの観点から１２ミクロン程度のものが好ましい。
【００１０】
そして、ケーシング内には、電解液が注入され電解液と電極間に電気二重層が形成される。
【００１１】
前記集電箔４、５の上端には、プラス端子１０とマイナス端子１１が形成され、これらの端子１０、１１は互いに集電箔同士が接着されて負荷に連なるリード線に接続されている。
【００１２】
なお、有機電解液としては、例えば、４級アンモニウムの４フッ化ホウ酸に溶媒としてプロピレンカーボネート（ＰＣ）を加えたものが用いられる。
【００１３】
なお、集電箔４、５と活性炭６とで分極性電極が構成されるが、図４に示すように集電箔４、５を用いることなく活性炭６のみをバインダーで薄膜状に固め、その上端に導電性金属で端子１２を形成することも可能である。
【産業上の利用可能性】
【００１４】
容積の割に比較して大静電容量のコンデンサであるので、電池の代替品として家電製品、電動工具、更に大型とすれば電気自動車等の走行車両にも使用可能となる。
【図面の簡単な説明】
【００１５】
【図１】本発明の電気二重層コンデンサの概略図。
【図２】図１のコンデンサの一部斜視図。
【図３】本発明の電気二重層コンデンサのコンデンサユニット構造拡大図。
【図４】本発明に係る電極の他の実施例の説明図である。
【符号の説明】
【００１６】
１…電気二重層コンデンサ
２…アルミフィルム（ケーシング）
３…絶縁膜
４、５…集電箔
６…活性炭
７…導電性粒子
８…セパレータ
１０、１１…端子
２０、２１…分極性電極
【図１】
2005322734.tif 000003
【図２】
2005322734.tif 000004
【図３】
2005322734.tif 000005
【図４】
2005322734.tif 000006
(57)【要約】  ［課題］    テープレコーダーに実用性の無いことが判って来て本格的に音声を個人的に記録再生できるものが無くなって時々悲しく寂しい思いをする。せめて、レコードとして用いることが出来るようになって歌謡曲を誰に遠慮すること無くカーステレオや家庭で聞けるようになると宜しい。最近、歌謡テープを又売りたいとする業者が出て来たので、何本も求めて聞いているが、歌声に他人の刺激を時々受けているようでどうも本格的録音とは思えない。私が聞く度に本人や他人が電波に乗って私のプレーヤーに向けて放送しているように思えることが度々である。絶対に正真正銘のテープレコーダーが欲しい。  ［解決手段］    録音媒体に従来のメタルテープに代えてスチールテープの使えるそして音声磁気信号を従来のようにテープ走行方向に直列に記録すると言うのでは無く、走行方向に直角的に縦に並べて極細に記録して行って見てはと発明した。恐らく好ましい結果をもたらすだろうと思っている。［選択図］    なし。【特許請求の範囲】
【請求項１】
「永久磁石用鋼記憶媒体（スチールテープ）」（特２００３−５４９４２）において、それを使用するレコーダーとして、そこにおいて「磁気ヘッド」の使用法にリノベーションを次のように行ないたい。
従来の磁気ヘッドはテープ走行に対してコイルの巻きが並行に設けてあり、ものの本によると、音波の周波の山側がＳＮなら谷側がＮＳだと言うように周波を二つに分けて２本の磁石として記録するのだそうである。しかし、これだと音の三要素の内高さと大きさは記録できても音色は記録できないのでは無いかと思われる。１本のＳＮの棒の内に杉良太郎と五代夏子との声の違い即ち音色の違いを本当に記録し得るのであろうか（現代新百科事典２、学習研究社、１５頁参考）。
何かその違いを記録する方法を磁気録音においても発明しないととても歌謡曲など録音可能な媒体とは言い難い。
そこで、考えたのが磁気ヘッドを従来とは逆にして縦に用いその上ヘッドの先端を針の如くに細くして１９０ｍｍ／ｓくらいのテープスピードで録音して見るとすれば、声と楽器の音は３０〜４０００回／秒（Ｈｚ）の間に納まる（要訣物理、文英堂、２６１頁、昭和２８年１１月１５日発行）ので、いま、最低の３０Ｈｚでは周波の長さは１９０ｍｍ／ｓ÷３０周波／ｓ＝６．３３３３ｍｍとなりこの間にＮＳとＳＮとかの２本の磁石が直列に記録されていることになる。また、最高の４０００Ｈｚでは１９０ｍｍ／ｓ÷４０００周波／ｓ＝０．０４７５ｍｍの間に磁石が２本直列に記録されていることになる。
そこで、最短の０．０４７５ｍｍの大体半分の長さを何分割して記録すれば上質な音色に記録できるのか判らないが、恐らく６分割もすれば申し分なかろう。その長さは０．０４７５ｍｍ÷１２＝０．００３９５８ｍｍとなる。１０００分の４ｍｍくらいの細さとなりとても分割して対応できる長さではない。
しかし、現代新百科事典によると、グランドピアノの最低音階のラの音は２７．５ｃｙｃｌｅ、最高音階のドの音は４０９ｃｙｃｌｅであるとある（２巻１４頁）。これからすると、実用されている楽器の最高音階の振動数がこのピアノのそれをそんなに多く上回るとは思えない。また、先の要訣物理によると声楽は８０〜１０００回／ｓｅｃの範囲に納まるとある（２６１頁）。
したがって、通常の音楽を録音するのであれば、２７Ｈｚ〜１０００Ｈｚまでの範囲を記録できる性能であれば実用可能であることが判る。そうすると、その最高周波数では１９０ｍｍ÷１０００周波／ｓｅｃ＝０．１９ｍｍとなり、これを１２分割して記録できれば宜しいとすば、０．１９ｍｍ÷１２＝０．０１５８３ｍｍとなり、１０００分の１６ｍｍ弱と１００分の内の細さの磁気ヘッドの先端で宜しいことになる。これなら或いは実用可能に製造できるかも判らない。若し、不可能ならば、テープスピードをもう少し上げて対応すればよく、どうやら実用的なものが開発でそうである。
ただし、このようにした場合、磁気記録がどのように記録されて行くのか、今いろいろと実験してみることが出来ないので何とも判らない。しかし、比較的最近の発行である「オーディオの基礎知識」（オーム社）を開いて見ると、以前とは磁気記録上の磁化の状態に関する解釈が異なっており（８６頁）、本発明すなわち極細な先端の磁気ヘッドを縦に使用して記録・再生することが可能のように思える。
以上のように構成した「永久磁石用鋼記憶媒体（スチールテープ）」用「極細先端縦型磁気ヘッドスチールテープレコーダー」および「極細先端縦型磁気ヘッドスチールテーププレーヤー」。
【請求項２】
「請求項１」における「極細先端縦型磁気ヘッドスチールテープレコーダー」および「極細先端縦型磁気ヘッドスチールテーププレーヤー」における磁気ヘッドの極細先端を万年筆のペン先の補強に用いるイリドスミンを又これが磁性化効果を弱めるようであればステンレス鋼などを溶着して丸みを着けると同時に耐禿性に補強した、スチールテープレコーダーやスチールテーププレーヤーの「イリドスミン溶着極細先端磁気ヘッド」あるいは「ステンレス溶着極細先端磁気ヘッド」およびそれらを装着したスチールテープレコーダーやスチールテーププレーヤー。
【請求項３】
「請求項２」における「イリドスミンあるいはステンレス溶着極細先端縦型スチールテープレコーダー」や「イリドスミンあるいはステンレス溶着極細先端縦型磁気ヘッドスチールテーププレーヤー」など器楽や声楽や人声などを録音する録音機や再生機や録音再生機において、その録音の周波数特性（録音可能周波数範囲）を従来の８０〜１００００Ｈｚ（例えばソニーのＣＤラジオカセットコーダーＣＦＤ−Ｓ２６）などに代えて２７〜１０００Ｈｚの範囲に抑えて実用性のあるテープ速度を可能とし然も相当高忠実度な再生音を可能としうるようにした、「スチールテープレコーダー」や「レコードとレコードプレーヤー」や「オーディオダイヤフィルムレコーダー」などの実用的良忠実度周波数特性（録音可能周波数範囲）録音・再生媒体とその実用的良忠実度周波数特性（録音可能周波数範囲）レコーダーや実用的良忠実度周波数特性（録音可能周波数範囲）プレーヤー。
【請求項４】
「請求項３」における各種録音再生媒体とそれらの録音再生機における「２７〜１０００Ｈｚの実用的良忠実度周波数特性（録音可能周波数範囲）」の最高周波数を今一度よく研究して見て、即ちグランドピアノの最高音階のドの音は４０９Ｈｚであったがこれから見ると声楽における実用的最高周波数は１０００Ｈｚより相当低いように思えるので、この値をサンプリング調査して可能ならばもっと低い妥当値に修正したい、「２７〜その妥当最高周波数」の範囲の周波数特性（録音可能周波数範囲）に落ち着かせた、更実用的良忠実度周波数特性（録音可能周波数範囲）録音媒体および更実用的良忠実度周波数特性（録音可能周波数範囲）録音再生機。
【発明の詳細な説明】
(57)【要約】【課題】  焼成風化珊瑚を調味料である味噌に用い、その珊瑚が有するミネラル分の増強と、そのマイナスイオン発生機能が持つ味噌のよりよい熟成化の促進。【解決手段】  風化珊瑚１０を焼成風化珊瑚にし、珊瑚粉末とか珊瑚細粒の状態に加工して、焼成風化珊瑚の味噌用原材料４０が完成する。  一方、通常の味噌５０がある。これは市販用の味噌容器に詰められる直前の味噌以外にもこの通常の味噌５０の製造中の味噌もしくはこの味噌の原材料からなる。この味噌５０に上記の焼成風化珊瑚の味噌用原材料４０を添加して、焼成風化珊瑚入り味噌６０が完成する。この味噌６０は、上記の珊瑚４０による熟成７０が要点を為している。【選択図】  図１
2005348647.tif 000002
【特許請求の範囲】
【請求項１】
焼成風化珊瑚の粉末又は細粒状物、該焼成風化珊瑚の粉末又は細粒状物を味噌又は製造中の味噌もしくは味噌の原材料に添加したもの、より構成されることを特徴とした焼成風化珊瑚入り味噌。
【請求項２】
焼成風化珊瑚の粉末又は細粒状物を味噌又は製造中の味噌もしくは味噌の原材料に添加し、この焼成風化珊瑚の粉末又は細粒状物から発生するマイナスイオンを上記の味噌に接触させ且つこの焼成風化珊瑚の粉末又は細粒状物をその味噌に含まれる酸により溶解させ融和させること、より構成されることを特徴とした焼成風化珊瑚入り味噌の製造方法。
【発明の詳細な説明】
【技術分野】
【０００１】
本発明は、広くは風化珊瑚利用の食品に関するものであり、特にその調味料に関するものである。就中、ミネラル補給ばかりでなく、珊瑚利用のマイナスイオンにより味噌の熟成化増強をしてその味覚をも向上した味噌に関するものである。
【背景技術】
【０００２】
珊瑚は、厚生労働省から食品添加物として認可されている。そして、これは、４０数種類のミネラルをバランスよく含んでおり、特に本願特許出願人による下記の特許文献に見られるように、炭酸カルシウム増強食品に利用されうるものである。もちろん、この特許文献１の発明の物は、その珊瑚はその歯磨きは言うに及ばずに、そのガムにおいてもその本体に混入しているのみであって、本願の味噌のように溶融はしていない。珊瑚はこればかりでなく、海辺などで風化した珊瑚を焼成したものは、従来の珊瑚に比べて格段的にマイナスイオンの発生量が多い性質を有する。したがって、これも本願特許出願人による下記の特許文献に見られるように、マイナスイオン発生装置に応用されている。
【０００３】
【特許文献１】平成１１年特許願第２５４６９９号
【特許文献２】平成１０年特許願第３７８６３９号
【発明の開示】
【発明が解決しようとする課題】
【０００４】
本願発明が解決しようとする問題点は、第一にこの焼成風化珊瑚を調味料である味噌に用いて、その珊瑚が有するミネラル分の増強である。次に、風化珊瑚のマイナスイオン発生機能を利用して、味噌のよりよい熟成化の促進に役立たせようとするものである。
【課題を解決するための手段】
【０００５】
本発明にかかる焼成風化珊瑚入り味噌及び製造方法は、以上の課題を解決するために、風化珊瑚を焼成したものを粉砕し、それを味噌に混入してその焼成風化珊瑚の粉末や細粒状物をその味噌に溶融させたものとした。
【０００６】
以下に、本発明にかかる焼成風化珊瑚入り味噌及び製造方法の具体的な構成を詳細に記載する。最初に、本発明の請求項１に記載した焼成風化珊瑚入り味噌の発明の構成を説明する。この発明は、まず、焼成風化珊瑚の粉末又は細粒状物がある。つぎに、味噌又は製造中の味噌もしくは味噌の原材料がある。そして、この味噌又は製造中の味噌もしくは味噌の原材料に、上記の焼成風化珊瑚の粉末又は細粒状物（原材料）を添加したものである。
【０００７】
つぎに、本発明にかかる焼成風化珊瑚入り味噌及び製造方法の請求項２に記載した焼成風化珊瑚入り味噌の製造方法の発明の構成を説明する。この発明は、焼成風化珊瑚の粉末又は細粒状物を、味噌又は製造中の味噌もしくは味噌の原材料に添加する。そして、この焼成風化珊瑚の粉末又は細粒状物を、上記の味噌に接触させ且つこの焼成風化珊瑚の粉末又は細粒状物その味噌に含まれる酸により溶解させ融和させるものである。
【発明の効果】
【０００８】
本発明にかかる焼成風化珊瑚入り味噌及び製造方法は、以上のごとくになしたゆえに、上記の課題を解決して以下のごとき多大な効果が生じた。すなわち、珊瑚は、４０数種類のミネラルをバランスよく含んでおり、炭酸カルシウムが増強された味噌となった。その上に、海辺などで風化した珊瑚を焼成したものは、従来の珊瑚に比べて格段的にマイナスイオンの発生量が多い性質を有する。したがって、このマイナスイオンによりその味噌の熟成がより一層図られたものとなった。
【発明を実施するための最良の形態】
【０００９】
我々が日常摂取する食物に不足しがちなミネラル特にカルシウムの補強がなされ、さらにマイナスイオン発生に伴う味噌の熟成の増強と言う２つの目的を、焼成風化珊瑚の使用による簡単な手段と方法で解決をした。
【実施例１】
【００１０】
しかして、本発明にかかる焼成風化珊瑚入り味噌及び製造方法をその具体的な実施例を用いて添付の図面と共に詳細に述べる。まず、図に示すように、その準備段階として熱帯地方や亜熱帯地方の海岸などから採集し洗浄した風化珊瑚１０を、焼成過程２０を経て焼成風化珊瑚にする。この焼成風化珊瑚を粉砕過程３０で珊瑚粉末とか珊瑚細粒の状態に加工する。こうして、味噌用の風化珊瑚珊瑚原材料４０が完成する。
【００１１】
一方、通常の味噌５０がある。この味噌５０は、ここでは、その権利範囲の確認における便宜上、その完成品（味噌）５１である市販用の味噌容器に詰められる直前の味噌のみならず、この通常の味噌５０となる未完成品（味噌）５２である製造中の味噌もしくはこの味噌の原材料も含まれるものとする。この味噌５０に上記の焼成風化珊瑚の味噌用原材料４０を添加するものである。こうして、本願発明の焼成風化珊瑚入り味噌６０が完成する。
【００１２】
しかして、特許請求の範囲にはここまでの記載に止めてあるが、それはその権利保護の観点からの構成の記載のみてあって、本願の発明の内容上の要点は以下に示す珊瑚による熟成７０である。この珊瑚熟成７０は、上記の焼成風化珊瑚入り味噌６０が上記の焼成風化珊瑚の味噌用原材料４０の珊瑚溶融７１によってミネラル補強の味噌となる。この珊瑚の溶融は、その珊瑚の粒状の大小によっても異なるが、一般にその混入後３ヶ月程度でその珊瑚はその味噌の成分特にその酸分によって完全溶解する。一方、その焼成風化珊瑚の味噌用原材料４０は、負イオン７２を大量に発生させる。それゆえに、ここでもそれによる珊瑚熟成７０が生じる。
【産業上の利用可能性】
【００１３】
ミネラル補強の味噌となり、日常食するものであるゆえに、不足しがちなミネラル特にカルシウム補強に役立ち骨粗鬆症の予防食品への道が開ける。また、新たな熟成味覚の調味料として、新料理法の開発にも役立つ。
【図面の簡単な説明】
【００１４】
【図１】本発明にかかる焼成風化珊瑚入り味噌の製造方法の一実施例のブロックダイアグラムを示したものである。
【符号の説明】
【００１５】
１０  風化珊瑚
２０  焼成過程
３０  粉砕過程
４０  焼成風化珊瑚の味噌用原材料
５０  味噌
５１  完成品
５２  未完成品
６０  焼成風化珊瑚入り味噌
７０  珊瑚熟成
【図１】
2005348647.tif 000003
(57)【要約】【課題】リモコン受信部を備えた照明器具の点灯動作をコントロールするリモコン送信機において、複数個の送信素子を設けた送信素子部外郭を回動自在な構造にすることで、前記送信素子部外郭を照明器具本体へ向けることが可能となり良好な送受信状態及び指光特性を得ることが可能な角度可変型リモコン送信機を提供する。【解決の手段】リモコン送信機本体１に具備する送信素子５が設けられている送信素子部外郭４を支点６を軸にして回動方向７を９０度の範囲内で回動自在な構造に分離させた構造とする。【選択図】      図２
2005348384.tif 000002
【特許請求の範囲】
【請求項１】
照明器具の点灯動作をコントロールするリモコン送信機において、リモコン送信機本体に具備する送信素子が設けてある送信素子部外郭を回動自在な構造に分離させることで、良好な受信状態及び指光特性を得ることが可能なことを特徴とする角度可変型リモコン送信機。
【発明の詳細な説明】
【技術分野】
【０００１】本発明は照明器具の点灯動作をコントロールするリモコン送信機において送信機本体に設けてある送信素子部外郭を回動自在な構造にする事で良好な送受信感度及び指光特性を得ることが可能な角度可変型リモコン送信機である。
【背景技術】
【０００２】従来のリモコン送信機を図１を用いて説明する。
良好な感度及び指向特性を得るために一方向に複数個さらに前記一方向より角度を設けた方向に複数個の送信素子を設けた二方向型のリモコン送信機が知られている。
【発明の開示】
【発明が解決しようとする課題】
【０００３】上述のようなリモコン送信機にあっては、送信素子を二方向に複数個を必要としリモコン送信機本体外殻部も大きくなるという問題点があった。【０００４】本発明の目的は、複数個の送信素子にて送信素子部外郭を照明器具本体へ向けることで良好な送受信感度及び指向特性が得られることを可能にした角度可変型リモコン送信機を提供する。
【課題を解決するための手段】
【０００５】リモコン送信機本体と送信素子が設けてある送信素子部外郭を一支点を軸にして９０度の範囲内で回動自在な構造となっている。
【発明の効果】
【０００６】請求項１記載の構成によれば、角度可変型リモコン送信機において、送信素子部外郭を回動自在な構造に分離することで送信素子部外郭を照明器具本体に向けることが可能となり、複数個少なくとも２個以上の送信素子で良好な送受信感度及び指向特性が得られる効果がある。
【発明を実施するための最良の形態】
【０００７】以下、本発明の実施の形態を図面を参照して説明する。
図２、図３は、本実施形態のリモコン送信機本体１を上方向から見た斜視図及正面図である。
リモコン送信機本体外核２の上面に切替ボタン３を具備し、送信素子５を複数個設けた送信素子部外郭４を支点６を軸に回動方向７を９０度の範囲内で回動自在な構造となっている。【０００８】図４は、本実施形態のリモコン送信機本体１を水平方向に置いた状態の正面図である。
卓上等に当核リモコン送信機本体１を置いた場合でも送信素子部４は回動方向７が９０度の範囲内で回動自在であるので送信素子５を照明器具本体９の方向へ向けることが可能である。【０００９】図５は、本実施形態のリモコン送信機本体１を壁掛けケース８を用いて壁掛けスイッチとして使用した正面図である。
壁掛けとしてリモコン送信機本体１を垂直に設置した場合でも送信素子部外郭４は回動方向７が９０度の範囲内で回動自在であるので送信素子５を照明器具本体９の方向へ向けることが可能である。【０００１０】以上により、当核リモコン送信機本体１において、送信素子５が設けてある送信素子部外郭４が回動自在となるので、あらゆる使用状況においても送信素子部外郭４を照明器具本体９へ向けることで良好な送受信感度及び指向特性が得られる。
【図面の簡単な説明】
【００１１】
【図１】従来のリモコン送信機本体を上方向から見た斜視図
【図２】本発明のリモコン送信機本体を上方向から見た斜視図
【図３】本発明のリモコン送信機本体の正面図
【図４】本発明のリモコン送信機本体を水平方向へ置いた正面図
【図５】本発明のリモコン送信機本体を壁掛けとして設置した正面図
【付号の説明】
【００１２】１  リモコン送信機本体
２  リモコン送信機本体外郭
３  切替えボタン
４  送信素子部外郭
５  送信素子
６  支点
７  回動方向
８  壁掛けケース
９  照明器具本体
【図１】
2005348384.tif 000003
【図２】
2005348384.tif 000004
【図３】
2005348384.tif 000005
【図４】
2005348384.tif 000006
【図５】
2005348384.tif 000007